(57)【要約】【課題】  パーソナルコンピュータ等のホスト装置を接続しないスタンドアロンでのダイレクトプリント機能を有する記録装置において、記録装置の各種設定から被記録材への所望の画像データの記録までの一連の操作を単純かつ容易な操作で正確に実行することが可能なユーザにとって使い勝手の良い操作性を実現する。【解決手段】  記録操作スイッチ３６が操作されると、メモリカード内に格納されている画像データがある場合には（ステップＳ２でＹｅｓ）、自動給紙された記録紙Ｐが設定シートである場合に（ステップＳ４でＹｅｓ）、「設定シート読み取り動作」を実行し、自動給紙された記録紙Ｐが白紙の記録紙Ｐである場合には（ステップＳ４でＮｏ）、「記録動作」を実行してメモリカード内のあらかじめ指定されている画像データを記録紙Ｐに記録し（ステップＳ６）、記録実行後の記録紙Ｐを排出する（ステップＳ７）。【選択図】図６
2006056130.tif 000002
【特許請求の範囲】
【請求項１】
外部から画像データを入力可能な画像データ入力手段と、該画像データ入力手段にて入力した画像データを被記録材へ記録する記録実行手段と、被記録材を積重可能な被記録材積重手段と、該被記録材積重手段に積重されている被記録材の最上位の被記録材を前記記録実行手段へ自動給送する自動給送手段と、前記記録実行手段による被記録材への記録を実行するための記録操作スイッチと、
前記記録実行手段による記録実行制御の各種設定を所定の様式で配置されているマーキング欄のマーキングによって選択指定する設定シートを、前記記録実行手段により被記録材への記録が実行される際の被記録材の搬送経路と同じ搬送経路で搬送しながらマーキング面を走査してマーキング状態を読み取り可能な設定シート走査手段と、
前記記録操作スイッチの操作を検出して前記画像データ入力手段にて画像データを入力し、当該画像データの被記録材への記録を実行する制御装置とを備えた記録装置であって、
前記制御装置は、前記画像データ入力手段にて入力可能な状態にある全画像データの中から記録すべき任意の画像データがあらかじめ指定されている状態で前記記録操作スイッチの操作を検出した際には、前記自動給送手段による被記録材の自動給送を実行し、
自動給送された被記録材の所定の領域を前記設定シート走査手段で走査して当該被記録材が前記設定シートであるか否かを検出し、
自動給送された被記録材が前記設定シートである場合には、当該設定シートのマーキング状態を前記設定シート走査手段で読み取った後、読み取ったマーキング状態に基づいて記録実行制御の各種設定を変更して当該設定シートを排出し、
自動給送された被記録材が前記設定シートでない場合には、当該被記録材は未記録状態の被記録材であると判定し、その時点における記録実行制御の各種設定に基づいて、あらかじめ指定されている任意の画像データの被記録材への記録を実行し、
あらかじめ指定されている任意の画像データの記録が全て実行し終えるまで、被記録材が排出される度に前記自動給送手段による被記録材の自動給送を実行する、ことを特徴とした記録装置。
【請求項２】
外部記憶媒体に格納されている画像データを読み込み可能な画像データ読込手段と、該画像データ読込手段にて読み込んだ画像データを被記録材へ記録する記録実行手段と、被記録材を積重可能な被記録材積重手段と、該被記録材積重手段に積重されている被記録材の最上位の被記録材を前記記録実行手段へ自動給送する自動給送手段と、前記記録実行手段による被記録材への記録を実行するための記録操作スイッチと、
前記記録実行手段による記録実行制御の各種設定を所定の様式で配置されているマーキング欄のマーキングによって選択指定する設定シートを、前記記録実行手段により被記録材への記録が実行される際の被記録材の搬送経路と同じ搬送経路で搬送しながらマーキング面を走査してマーキング状態を読み取り可能な設定シート走査手段と、
前記記録操作スイッチの操作を検出して前記外部記憶媒体に格納されている画像データの被記録材への記録を実行する制御装置とを備えた記録装置であって、
前記制御装置は、前記外部記憶媒体に格納されている全画像データの中から記録すべき任意の画像データがあらかじめ指定されている状態で前記記録操作スイッチの操作を検出した際には、前記自動給送手段による被記録材の自動給送を実行し、
自動給送された被記録材の所定の領域を前記設定シート走査手段で走査して当該被記録材が前記設定シートであるか否かを検出し、
自動給送された被記録材が前記設定シートである場合には、当該設定シートのマーキング状態を前記設定シート走査手段で読み取った後、読み取ったマーキング状態に基づいて記録実行制御の各種設定を変更して当該設定シートを排出し、
自動給送された被記録材が前記設定シートでない場合には、当該被記録材は未記録状態の被記録材であると判定し、その時点における記録実行制御の各種設定に基づいて、あらかじめ指定されている任意の画像データの被記録材への記録を実行し、
あらかじめ指定されている任意の画像データの記録が全て実行し終えるまで、被記録材が排出される度に前記自動給送手段による被記録材の自動給送を実行する、ことを特徴とした記録装置。
【請求項３】
請求項２において、前記制御装置は、前記外部記憶媒体に格納されている全画像データの中から記録すべき任意の画像データがあらかじめ指定されていない状態で前記記録操作スイッチの操作を検出した際には、前記自動給送手段による被記録材の自動給送を実行し、
自動給送された被記録材が前記設定シートである場合には、前記設定シートのマーキング状態を前記設定シート走査手段で読み取った後、読み取ったマーキング状態に基づいて記録実行制御の各種設定を変更して前記設定シートを排出し、
自動給送された被記録材が前記設定シートでない場合には、当該被記録材は未記録状態の被記録材であると判定して、当該未記録状態の被記録材へ前記設定シートを作成する記録を実行して排出する、ことを特徴とした記録装置。
【請求項４】
請求項１〜３のいずれか１項において、前記設定シート走査手段は、前記記録実行手段の各種メンテナンス動作要求を所定の様式で配置されているマーキング欄のマーキングによって選択指定するメンテナンス設定シートを、前記記録実行手段により被記録材への記録が実行される際の被記録材の搬送経路と同じ搬送経路で搬送しながらマーキング面を走査してマーキング状態を読み取り可能であり、
前記制御装置は、前記記録操作スイッチの操作を検出した際には、前記自動給送手段による被記録材の自動給送を実行し、
自動給送された被記録材の所定の領域を前記設定シート走査手段で走査して当該被記録材が前記メンテナンス設定シートであるか否かを検出し、
自動給送された被記録材が前記メンテナンス設定シートである場合には、当該メンテナンス設定シートのマーキング状態を前記設定シート走査手段で読み取った後、読み取ったマーキング状態に基づいて記録実行手段のメンテナンス動作の設定をして当該メンテナンス設定シートを排出した後、設定されたメンテナンス動作を実行する、ことを特徴とした記録装置。
【請求項５】
請求項４において、前記制御装置は、自動給送された被記録材が前記メンテナンス設定シートである場合には、当該メンテナンス設定シートのマーキング状態を前記設定シート走査手段で読み取った後、当該メンテナンス設定シートの空き領域に、当該メンテナンス設定シートにて選択されているメンテナンス動作に対応する所定の調整用記録データに基づく記録を実行するとともに、前記調整用記録データの記録実行結果から最適な調整値をユーザがマーキング選択可能な如くマーキング欄を前記空き領域に併せて記録して排出し、
マーキング後の当該メンテナンス設定シートを再度自動給送手段により自動給送して、当該メンテナンス設定シートの前記空き領域のマーキング状態を前記設定シート走査手段で読み取って、マーキング選択されている調整値に基づく設定変更を実行する、ことを特徴とした記録装置。
【請求項６】
請求項５において、前記制御装置は、所定の調整用記録データの記録実行結果からマーキング選択された調整値に基づく設定変更を実行する際に、当該メンテナンス設定シートの所定の領域に当該メンテナンス設定シートを無効とする記録を実行してから当該メンテナンス設定シートを排出する、ことを特徴とした記録装置。
【請求項７】
請求項１〜６のいずれか１項において、前記制御装置は、前記設定シート走査手段で搬送経路を搬送される前記設定シートの搬送方向と直交する方向の幅を検出し、検出した当該設定シートの幅から当該設定シートのサイズを特定し、特定した当該設定シートのサイズを被記録材への記録実行時の被記録材のサイズに設定する、ことを特徴とした記録装置。
【請求項８】
請求項１〜７のいずれか１項において、前記記録実行手段は、被記録材へ記録を実行するための記録ヘッド、及び非接触の光学式センサを搭載し、主走査方向へ往復動可能に配設されたキャリッジと、被記録材を副走査方向へ所定の搬送量で搬送するための被記録材搬送手段とを有し、
前記設定シート走査手段は、前記キャリッジを往復動させることで前記設定シートに対して前記光学式センサを主走査方向へ走査させる動作と、前記設定シートを前記被記録材搬送手段で副走査方向へ搬送することで前記設定シートに対して前記光学式センサを副走査方向へ走査させる動作とによって、前記設定シートの記録面を前記光学式センサで走査する構成を有している、ことを特徴とした記録装置。
【請求項９】
外部記憶媒体に格納されている画像データを読み込み可能な画像データ読込手段と、該画像データ読込手段にて読み込んだ画像データを被記録材へ記録する記録実行手段と、被記録材を積重可能な被記録材積重手段と、該被記録材積重手段に積重されている被記録材の最上位の被記録材を前記記録実行手段へ自動給送する自動給送手段と、前記記録実行手段による被記録材への記録を実行するための記録操作スイッチと、
前記記録実行手段による記録実行制御の各種設定を所定の様式で配置されているマーキング欄のマーキングによって選択指定する設定シートを、前記記録実行手段により被記録材への記録が実行される際の被記録材の搬送経路と同じ搬送経路で搬送しながらマーキング面を走査してマーキング状態を読み取り可能な設定シート走査手段とを備えた記録装置において、
前記記録操作スイッチの操作を検出して前記外部記憶媒体に格納されている画像データの被記録材への記録を実行する制御をコンピュータに実行させるための記録制御プログラムであって、
前記外部記憶媒体に格納されている全画像データの中から記録すべき任意の画像データがあらかじめ指定されている状態で前記記録操作スイッチの操作を検出した際には、前記自動給送手段による被記録材の自動給送を実行する手順と、
自動給送された被記録材の所定の領域を前記設定シート走査手段で走査して当該被記録材が前記設定シートであるか否かを検出する手順と、
自動給送された被記録材が前記設定シートである場合には、当該設定シートのマーキング状態を前記設定シート走査手段で読み取った後、読み取ったマーキング状態に基づいて記録実行制御の各種設定を変更して当該設定シートを排出する手順と、
自動給送された被記録材が前記設定シートでない場合には、当該被記録材は未記録状態の被記録材であると判定し、その時点における記録実行制御の各種設定に基づいて、あらかじめ指定されている任意の画像データの被記録材への記録を実行する手順と、
あらかじめ指定されている任意の画像データの記録が全て実行し終えるまで、被記録材が排出される度に前記自動給送手段による被記録材の自動給送を実行する手順とを有している、ことを特徴とした記録制御プログラム。
【発明の詳細な説明】
【技術分野】
【０００１】
本発明は、パーソナルコンピュータ等のホスト装置を接続しないスタンドアロンでのダイレクトプリント機能を有する記録装置に関する。
【背景技術】
【０００２】
デジタルカメラ等で撮影したデジタル画像が格納されているメモリカード等の外部記憶媒体に格納されている画像データを、パーソナルコンピュータ等のホスト装置を介さずに、記録装置に配設されたメモリカードスロット等の画像データ読込手段で直接読み込んで直接印刷することができる、いわゆるダイレクトプリント機能を備えた記録装置が公知である。このような記録装置においては、記録装置における記録紙サイズや記録画質モードの設定等の設定変更をする際には、記録装置に設けられた小さな液晶パネルによる表示部のメニュー表示を見ながら、記録装置に設けられた複数の押しボタン等から成る操作部を操作して行わなければならないのが一般的であった。このような記録装置の設定変更操作は、小さな液晶パネルによる限られた表示情報を頼りに操作部を操作して設定していかなければならないため、ユーザにとっては非常に分かりにくく煩わしいものであった。
【０００３】
このような記録装置の設定変更操作の煩わしさを解消するための従来技術の一例としては、スキャナ等の画像読み取り手段を備えた記録装置において、記録装置のモード設定をユーザがマーキングにより設定したモード設定シートをスキャナで読み取って、読み取ったモード設定シートのマーキング状態に基づいて自動的にモード設定をする記録装置が公知である（例えば、特許文献１を参照）。ユーザは、煩わしい設定操作から解放されるとともに、多数の設定項目をモード設定シート上で全て見ながら各設定項目を任意に設定することができるので、ユーザ所望の設定を容易にすることが可能になるとともに設定ミス等も低減させることができるという効果が期待できる。
【０００４】
【特許文献１】特開平５−１１２０６４号公報
【発明の開示】
【発明が解決しようとする課題】
【０００５】
しかしながら、上記特許文献１には、モード設定シートをスキャナ等で読み込む構成とすることによってモード設定等の操作を不要にすることが可能となる旨の開示がされているものの、具体的なユーザインタフェース等については何ら開示されていない。いうまでもなく、モード設定等の操作を不要にした記録装置がユーザにとって使い勝手の良い記録装置であるためには、モード設定等から被記録材への記録の実行までの一連の記録装置の操作性がユーザにとって使い勝手の良いものであることが不可欠である。
【０００６】
本発明は、このような状況に鑑み成されたものであり、その課題は、パーソナルコンピュータ等のホスト装置を接続しないスタンドアロンでのダイレクトプリント機能を有する記録装置において、記録装置の各種設定から被記録材への所望の画像データの記録までの一連の操作を単純かつ容易な操作で正確に実行することが可能なユーザにとって使い勝手の良い操作性を実現することにある。
【課題を解決するための手段】
【０００７】
上記課題を達成するため、本発明の第１の態様は、外部から画像データを入力可能な画像データ入力手段と、該画像データ入力手段にて入力した画像データを被記録材へ記録する記録実行手段と、被記録材を積重可能な被記録材積重手段と、該被記録材積重手段に積重されている被記録材の最上位の被記録材を前記記録実行手段へ自動給送する自動給送手段と、前記記録実行手段による被記録材への記録を実行するための記録操作スイッチと、前記記録実行手段による記録実行制御の各種設定を所定の様式で配置されているマーキング欄のマーキングによって選択指定する設定シートを、前記記録実行手段により被記録材への記録が実行される際の被記録材の搬送経路と同じ搬送経路で搬送しながらマーキング面を走査してマーキング状態を読み取り可能な設定シート走査手段と、前記記録操作スイッチの操作を検出して前記画像データ入力手段にて画像データを入力し、当該画像データの被記録材への記録を実行する制御装置とを備えた記録装置であって、前記制御装置は、前記画像データ入力手段にて入力可能な状態にある全画像データの中から記録すべき任意の画像データがあらかじめ指定されている状態で前記記録操作スイッチの操作を検出した際には、前記自動給送手段による被記録材の自動給送を実行し、自動給送された被記録材の所定の領域を前記設定シート走査手段で走査して当該被記録材が前記設定シートであるか否かを検出し、自動給送された被記録材が前記設定シートである場合には、当該設定シートのマーキング状態を前記設定シート走査手段で読み取った後、読み取ったマーキング状態に基づいて記録実行制御の各種設定を変更して当該設定シートを排出し、自動給送された被記録材が前記設定シートでない場合には、当該被記録材は未記録状態の被記録材であると判定し、その時点における記録実行制御の各種設定に基づいて、あらかじめ指定されている任意の画像データの被記録材への記録を実行し、あらかじめ指定されている任意の画像データの記録が全て実行し終えるまで、被記録材が排出される度に前記自動給送手段による被記録材の自動給送を実行する、ことを特徴とした記録装置である。
【０００８】
記録操作スイッチを操作すると、制御装置は以下の制御を実行する。まず、自動給送手段によって被記録材を自動給送する。つづいて、自動給送された被記録材の所定の領域を設定シート走査手段で走査して当該被記録材が設定シートであるか否かを検出する。例えば、設定シートの所定の領域に設定シート走査手段にて読み取り可能な目印等をあらかじめ付加しておけば、その所定の領域を走査することによって、自動給送された被記録材が設定シートであるか否かを検出することができる。自動給送された被記録材が設定シートである場合には、当該設定シートのマーキング状態を設定シート走査手段で読み取った後、読み取ったマーキング状態に基づいて記録実行制御の各種設定を変更して当該設定シートを排出する。このように、自動給送された被記録材が設定シートである場合には、当該設定シートのマーキング状態に基づく各種設定の変更が実行されて当該設定シートが排出される。
【０００９】
一方、自動給送された被記録材の所定の領域を走査した結果、設定シートではなかった場合には、当該被記録材は未記録状態の被記録材（つまり、白紙の記録紙等）であると判定する。未記録状態の被記録材が自動給送された場合には、その時点における記録実行制御の各種設定に基づいて、あらかじめ指定されている任意の画像データの被記録材への記録を実行する。そして、あらかじめ指定されている任意の画像データの記録が全て実行し終えるまで、被記録材が排出される度に自動給送手段による被記録材の自動給送を実行する。未記録状態の被記録材が自動給送された場合は、引き続きあらかじめ指定されている画像データの残りの記録を実行して排出し、再度設定シートが自動給送された場合には、当該設定シートのマーキング状態に基づく各種設定の変更を実行して排出し、これらの動作を繰り返し実行し、あらかじめ指定されている任意の画像データの記録が全て実行された時点で一連の記録動作が終了する。
【００１０】
このように、記録操作スイッチを１回操作するだけで、記録装置の各種設定の変更からあらかじめ指定されている画像データの被記録材への記録までを全て自動で実行することができる。例えば、被記録材を積重可能な被記録材積重手段の最上位にマーキング済みの設定シートを配置し、以下未記録状態の被記録材を積重した状態で記録操作スイッチを操作する。すると、最初に設定シートのマーキング状態に基づく各種設定の変更が実行され、以後、その変更後の各種設定状態で、あらかじめ指定されている画像データの記録が順次自動で実行され、指定されている画像データの記録が全て終了するまで、自動給送手段による被記録材の自動給紙、記録実行手段による被記録材への記録、記録後の被記録材の排出が繰り返し実行されることになる。
【００１１】
これにより、本発明の第１の態様に記載の記録装置によれば、記録装置の各種設定の変更、並びにあらかじめ指定されている画像データの被記録材への記録を、記録操作スイッチを１回操作するだけで、全て自動で実行することができるので、パーソナルコンピュータ等のホスト装置を接続しないスタンドアロンでのダイレクトプリント機能を有する記録装置において、記録装置の各種設定から被記録材への所望の画像データの記録までの一連の操作を単純かつ容易な操作で正確に実行することが可能なユーザにとって使い勝手の良い操作性を実現することができるという作用効果が得られる。
【００１２】
本発明の第２の態様は、外部記憶媒体に格納されている画像データを読み込み可能な画像データ読込手段と、該画像データ読込手段にて読み込んだ画像データを被記録材へ記録する記録実行手段と、被記録材を積重可能な被記録材積重手段と、該被記録材積重手段に積重されている被記録材の最上位の被記録材を前記記録実行手段へ自動給送する自動給送手段と、前記記録実行手段による被記録材への記録を実行するための記録操作スイッチと、前記記録実行手段による記録実行制御の各種設定を所定の様式で配置されているマーキング欄のマーキングによって選択指定する設定シートを、前記記録実行手段により被記録材への記録が実行される際の被記録材の搬送経路と同じ搬送経路で搬送しながらマーキング面を走査してマーキング状態を読み取り可能な設定シート走査手段と、前記記録操作スイッチの操作を検出して前記外部記憶媒体に格納されている画像データの被記録材への記録を実行する制御装置とを備えた記録装置であって、前記制御装置は、前記外部記憶媒体に格納されている全画像データの中から記録すべき任意の画像データがあらかじめ指定されている状態で前記記録操作スイッチの操作を検出した際には、前記自動給送手段による被記録材の自動給送を実行し、自動給送された被記録材の所定の領域を前記設定シート走査手段で走査して当該被記録材が前記設定シートであるか否かを検出し、自動給送された被記録材が前記設定シートである場合には、当該設定シートのマーキング状態を前記設定シート走査手段で読み取った後、読み取ったマーキング状態に基づいて記録実行制御の各種設定を変更して当該設定シートを排出し、自動給送された被記録材が前記設定シートでない場合には、当該被記録材は未記録状態の被記録材であると判定し、その時点における記録実行制御の各種設定に基づいて、あらかじめ指定されている任意の画像データの被記録材への記録を実行し、あらかじめ指定されている任意の画像データの記録が全て実行し終えるまで、被記録材が排出される度に前記自動給送手段による被記録材の自動給送を実行する、ことを特徴とした記録装置である。
【００１３】
前述した第１の態様と同様に、記録操作スイッチを１回操作するだけで、記録装置の各種設定の変更からあらかじめ指定されている画像データの被記録材への記録までを全て自動で実行することができる。例えば、被記録材を積重可能な被記録材積重手段の最上位にマーキング済みの設定シートを配置し、以下未記録状態の被記録材を積重した状態で記録操作スイッチを操作する。すると、最初に設定シートのマーキング状態に基づく各種設定の変更が実行され、以後、その変更後の各種設定状態で、あらかじめ指定されている画像データの記録が順次自動で実行され、指定されている画像データの記録が全て終了するまで、自動給送手段による被記録材の自動給紙、記録実行手段による被記録材への記録、記録後の被記録材の排出が繰り返し実行されることになる。
【００１４】
これにより、本発明の第２の態様に記載の記録装置によれば、記録装置の各種設定の変更、並びにあらかじめ指定されている画像データの被記録材への記録を、記録操作スイッチを１回操作するだけで、全て自動で実行することができるので、パーソナルコンピュータ等のホスト装置を接続しないスタンドアロンでのダイレクトプリント機能を有する記録装置において、記録装置の各種設定から被記録材への所望の画像データの記録までの一連の操作を単純かつ容易な操作で正確に実行することが可能なユーザにとって使い勝手の良い操作性を実現することができるという作用効果が得られる。
【００１５】
本発明の第３の態様は、前述した第２の態様において、前記制御装置は、前記外部記憶媒体に格納されている全画像データの中から記録すべき任意の画像データがあらかじめ指定されていない状態で前記記録操作スイッチの操作を検出した際には、前記自動給送手段による被記録材の自動給送を実行し、自動給送された被記録材が前記設定シートである場合には、前記設定シートのマーキング状態を前記設定シート走査手段で読み取った後、読み取ったマーキング状態に基づいて記録実行制御の各種設定を変更して前記設定シートを排出し、自動給送された被記録材が前記設定シートでない場合には、当該被記録材は未記録状態の被記録材であると判定して、当該未記録状態の被記録材へ前記設定シートを作成する記録を実行して排出する、ことを特徴とした記録装置である。
【００１６】
このように、記録すべき任意の画像データがあらかじめ指定されていない状態で記録操作スイッチを操作した場合には、制御装置は以下の制御を実行する。まず自動給送手段による被記録材の自動給送を実行する。自動給送された被記録材が設定シートである場合には、当該設定シートのマーキング状態に基づく各種設定の変更を実行して排出した時点で一連の記録動作を終了する。一方、自動給送された被記録材が未記録状態の被記録材である場合には、当該未記録状態の被記録材へ設定シートを作成する記録を実行して排出して一連の記録動作を終了する。つまり、ユーザが記録装置の各種設定の変更する際に手元に設定シートが無い場合には、記録を実行する画像データをあらかじめ指定しない状態で記録操作スイッチを操作することによって、設定シートを作成することができる。
【００１７】
作成された設定シートにユーザがマーキングをし、マーキング後の設定シートを被記録材積重手段の最上位に配置した状態で記録操作スイッチを操作することによって、記録装置の各種設定を変更することができる。その際に、あらかじめ記録を実行する画像データを指定しない状態で記録操作スイッチを操作すれば、記録装置の各種設定の変更のみ実行することができる。一方、あらかじめ記録を実行する画像データを指定しておけば、前述したように、１回の記録操作スイッチの操作で記録装置の各種設定の変更、並びに被記録材への画像データの記録を全て自動で実行することができる。
【００１８】
本発明の第４の態様は、前述した第１の態様〜第３の態様のいずれかにおいて、前記設定シート走査手段は、前記記録実行手段の各種メンテナンス動作要求を所定の様式で配置されているマーキング欄のマーキングによって選択指定するメンテナンス設定シートを、前記記録実行手段により被記録材への記録が実行される際の被記録材の搬送経路と同じ搬送経路で搬送しながらマーキング面を走査してマーキング状態を読み取り可能であり、前記制御装置は、前記記録操作スイッチの操作を検出した際には、前記自動給送手段による被記録材の自動給送を実行し、自動給送された被記録材の所定の領域を前記設定シート走査手段で走査して当該被記録材が前記メンテナンス設定シートであるか否かを検出し、自動給送された被記録材が前記メンテナンス設定シートである場合には、当該メンテナンス設定シートのマーキング状態を前記設定シート走査手段で読み取った後、読み取ったマーキング状態に基づいて記録実行手段のメンテナンス動作の設定をして当該メンテナンス設定シートを排出した後、設定されたメンテナンス動作を実行する、ことを特徴とした記録装置である。
【００１９】
例えば、インクジェット式記録装置の記録ヘッドのノズルクリーニングやノズル詰まりのチェック、或いは記録ヘッドと被記録材との間隔の微調節等、記録装置に必要なメンテナンスを実行する際のメンテナンス動作要求をメンテナンス設定シートのマーキング状態によって選択指定することができる。記録装置のメンテナンス動作については、メンテナンス設定シートにより設定することができるので、記録実行手段の各種設定の変更、被記録材への記録、及び記録装置のメンテナンス等を１つの記録操作スイッチの操作のみによって全て実行することも可能になる。
【００２０】
本発明の第５の態様は、前述した第４の態様において、前記制御装置は、自動給送された被記録材が前記メンテナンス設定シートである場合には、当該メンテナンス設定シートのマーキング状態を前記設定シート走査手段で読み取った後、当該メンテナンス設定シートの空き領域に、当該メンテナンス設定シートにて選択されているメンテナンス動作に対応する所定の調整用記録データに基づく記録を実行するとともに、前記調整用記録データの記録実行結果から最適な調整値をユーザがマーキング選択可能な如くマーキング欄を前記空き領域に併せて記録して排出し、マーキング後の当該メンテナンス設定シートを再度自動給送手段により自動給送して、当該メンテナンス設定シートの前記空き領域のマーキング状態を前記設定シート走査手段で読み取って、マーキング選択されている調整値に基づく設定変更を実行する、ことを特徴とした記録装置である。
【００２１】
このように、被記録材への記録を伴うメンテナンス動作については、メンテナンス設定シートの空き領域に記録を実行することによって、メンテナンス時の被記録材の消費を節約することができる。また、調整用記録データに基づく記録を実行し、その記録実行結果から最適な調整量をユーザが選択するようなメンテナンス動作を実行する場合には、その記録実行結果から最適な調整値をユーザがマーキング選択可能な如くマーキング欄を併せて記録する。そして、ユーザがマーキングした後のメンテナンスシートを再度自動給送して設定シート走査手段でマーキング状態を読み取り、マーキング設定されている調整量に基づく設定変更を実行する。
【００２２】
本発明の第６の態様は、前述した第５の態様において、前記制御装置は、所定の調整用記録データの記録実行結果からマーキング選択された調整値に基づく設定変更を実行する際に、当該メンテナンス設定シートの所定の領域に当該メンテナンス設定シートを無効とする記録を実行してから当該メンテナンス設定シートを排出する、ことを特徴とした記録装置である。
【００２３】
空き領域に所定の調整用記録データに基づく記録の実行結果からマーキング選択された調整値で設定変更をした後、そのメンテナンス設定シートを再度設定シート走査手段で読み取って設定変更を実行してしまうと、誤った調整値に基づく設定変更がされてしまう虞がある。そこで、記録実行結果からマーキング選択された調整値に基づく設定変更をした後のメンテナンス設定シートを無効とすることによって、使用済みのメンテナンス設定シートを誤って再度使用して、不正確な調整値が設定されてしまうことを防止することができる。
【００２４】
本発明の第７の態様は、前述した第１の態様〜第６の態様のいずれかにおいて、前記制御装置は、前記設定シート走査手段で搬送経路を搬送される前記設定シートの搬送方向と直交する方向の幅を検出し、検出した当該設定シートの幅から当該設定シートのサイズを特定し、特定した当該設定シートのサイズを被記録材への記録実行時の被記録材のサイズに設定する、ことを特徴とした記録装置である。
【００２５】
本発明の第７の態様に記載の記録装置によれば、画像データの記録を実行しようとする被記録材と同じ大きさの被記録材で設定シートを作成して使用することによって、被記録材サイズの設定を間違えにくくすることができる。つまり、設定シートによる各種設定の実行と、その各種設定状態であらかじめ指定した画像データの記録を１回の記録操作スイッチの操作で連続して実行する場合には、被記録材積重手段に積重した未記録状態の被記録材の大きさと、その最上位に配置した設定シートとの大きさとが同じ大きさであることをもって、被記録材のサイズが正しく設定されて記録が実行されることが保証されることになる。
【００２６】
本発明の第８の態様は、前述した第１の態様〜第７の態様のいずれかにおいて、前記記録実行手段は、被記録材へ記録を実行するための記録ヘッド、及び非接触の光学式センサを搭載し、主走査方向へ往復動可能に配設されたキャリッジと、被記録材を副走査方向へ所定の搬送量で搬送するための被記録材搬送手段とを有し、前記設定シート走査手段は、前記キャリッジを往復動させることで前記設定シートに対して前記光学式センサを主走査方向へ走査させる動作と、前記設定シートを前記被記録材搬送手段で副走査方向へ搬送することで前記設定シートに対して前記光学式センサを副走査方向へ走査させる動作とによって、前記設定シートの記録面を前記光学式センサで走査する構成を有している、ことを特徴とした記録装置である。
【００２７】
このように、記録ヘッドを被記録材に対して主走査方向へ走査させるべく記録ヘッドを搭載したキャリッジを主走査方向へ往復動させる構成を有する記録装置において、キャリッジに設定シートの読み取りが可能な光学式センサを搭載することによって、設定シートの主走査方向への走査が可能になる。また、被記録材を副走査方向へ搬送する被記録材搬送手段で設定シートを搬送することによって、設定シートの副走査方向への走査が可能になる。設定シート走査手段をこのような構成とすることによって、記録実行手段において被記録材への記録が実行される際の被記録材の搬送経路と同じ搬送経路で設定シートを搬送しながら設定シートのマーキング欄を光学式センサで走査することができる。したがって、設定シート走査手段による設定シートのマーキング面の読み取りと、被記録材への画像データの記録とを自動給送手段による搬送経路への自動給送によって連続して自動で実行することができる。また、設定シートのマーキング状態を読み取る際に、設定シートへの記録を実行することもできる。そして、一般的なスキャナを備えた記録装置（いわゆる複合機）において、スキャナで設定シートのマーキング状態を読み取る場合に必要となる設定シート全面に相当する広大なビットマップメモリ領域の確保に必要な大量のメモリが、当該態様においては必要ないので、大容量のメモリを記録装置に搭載する必要がなく、その分だけ記録装置のコストを低減させることができる。
【００２８】
本発明の第９の態様は、外部記憶媒体に格納されている画像データを読み込み可能な画像データ読込手段と、該画像データ読込手段にて読み込んだ画像データを被記録材へ記録する記録実行手段と、被記録材を積重可能な被記録材積重手段と、該被記録材積重手段に積重されている被記録材の最上位の被記録材を前記記録実行手段へ自動給送する自動給送手段と、前記記録実行手段による被記録材への記録を実行するための記録操作スイッチと、前記記録実行手段による記録実行制御の各種設定を所定の様式で配置されているマーキング欄のマーキングによって選択指定する設定シートを、前記記録実行手段により被記録材への記録が実行される際の被記録材の搬送経路と同じ搬送経路で搬送しながらマーキング面を走査してマーキング状態を読み取り可能な設定シート走査手段とを備えた記録装置において、前記記録操作スイッチの操作を検出して前記外部記憶媒体に格納されている画像データの被記録材への記録を実行する制御をコンピュータに実行させるための記録制御プログラムであって、前記外部記憶媒体に格納されている全画像データの中から記録すべき任意の画像データがあらかじめ指定されている状態で前記記録操作スイッチの操作を検出した際には、前記自動給送手段による被記録材の自動給送を実行する手順と、自動給送された被記録材の所定の領域を前記設定シート走査手段で走査して当該被記録材が前記設定シートであるか否かを検出する手順と、自動給送された被記録材が前記設定シートである場合には、当該設定シートのマーキング状態を前記設定シート走査手段で読み取った後、読み取ったマーキング状態に基づいて記録実行制御の各種設定を変更して当該設定シートを排出する手順と、自動給送された被記録材が前記設定シートでない場合には、当該被記録材は未記録状態の被記録材であると判定し、その時点における記録実行制御の各種設定に基づいて、あらかじめ指定されている任意の画像データの被記録材への記録を実行する手順と、あらかじめ指定されている任意の画像データの記録が全て実行し終えるまで、被記録材が排出される度に前記自動給送手段による被記録材の自動給送を実行する手順とを有していることを特徴とした記録制御プログラムである。
【００２９】
本発明の第９の態様に記載の記録制御プログラムによれば、この記録制御プログラムを実行することができる任意の記録装置に、前述した第２の態様に記載の発明と同様の作用効果をもたらすことができる。
【発明を実施するための最良の形態】
【００３０】
以下、本発明の実施の形態を図面に基づいて説明する。  
まず、本発明に係る「記録装置」の一例としてのインクジェット式記録装置の概略構成について説明する。
【００３１】
図１は、本発明に係るインクジェット式記録装置の要部平面図であり、図２はその側面図である。図３は、本発明に係るインクジェット式記録装置の概略のブロック図である。  
インクジェット式記録装置５０には、「被記録材」としての記録紙Ｐにインクを噴射して記録を行う記録ヘッド６２を記録紙Ｐに対して主走査方向Ｘに走査させる「主走査駆動手段」として、主走査方向Ｘに移動可能にキャリッジガイド軸５１に軸支されたキャリッジ６１が設けられている。キャリッジ６１には、記録ヘッド６２と後述するＰＷセンサ３４とが搭載されており、ＣＲモータ６３の回転駆動力が図示していないベルト伝達機構によって伝達されて主走査方向Ｘに往復動する。記録ヘッド６２のヘッド面と対向する位置には、記録ヘッド６２のヘッド面と記録紙Ｐとのギャップを規定するプラテン５２が設けられている。
【００３２】
また、インクジェット式記録装置５０には、記録ヘッド６２を記録紙Ｐに対して副走査方向Ｙに走査させる「副走査駆動手段」として、記録紙Ｐを副走査方向Ｙに搬送する搬送駆動ローラ５３と搬送従動ローラ５４が設けられている。搬送駆動ローラ５３は、ＰＦモータ５８の回転駆動力が歯車伝達されて回転し、搬送駆動ローラ５３の回転により、記録紙Ｐは副走査方向Ｙに搬送される。搬送従動ローラ５４は、複数設けられており、それぞれ個々に搬送駆動ローラ５３に付勢され、記録紙Ｐが搬送駆動ローラ５３の回転により搬送される際に、記録紙Ｐに接しながら記録紙Ｐの搬送に従動して回転する。搬送駆動ローラ５３の表面には、高摩擦抵抗を有する皮膜が施されている。搬送従動ローラ５４によって、搬送駆動ローラ５３の表面に押しつけられた記録紙Ｐは、その表面の摩擦抵抗によって搬送駆動ローラ５３の表面に密着し、搬送駆動ローラ５３の回転によって副走査方向に搬送される。インクジェット記録装置５０の「記録実行手段」は、上述した「主走査駆動手段」と「副走査駆動手段」とで構成され、キャリッジ６１とプラテン５２の間に記録紙Ｐを副走査方向Ｙに所定の搬送量で搬送する動作と、記録ヘッド６２を主走査方向Ｘに一往復させる間に記録ヘッド６２から記録紙Ｐにインクを噴射する動作とを交互に繰り返すことによって記録紙Ｐに記録が行われる。
【００３３】
搬送駆動ローラ５３の副走査方向Ｙの上流側には、多数の記録紙Ｐを積重可能な「被記録材積重手段」としての給紙トレイ５７が配設されている。給紙トレイ５７は、例えば普通紙やフォト紙等の記録紙Ｐを給紙（給送）可能な構成となっている。給紙トレイ５７の近傍には、給紙トレイ５７に積重されている記録紙Ｐの最上位の記録紙Ｐを「記録実行手段」へ自動給送する「自動給送手段」としてのＡＳＦ（オート・シート・フィーダー）が設けられている。ＡＳＦは、給紙トレイ５７に設けられた２つの給紙ローラ５７ｂ及び図示してない分離パッドを有する自動給紙機構である。この２つの給紙ローラ５７ｂの１つは、給紙トレイ５７の一方側に配置され、もう１つの給紙ローラ５７ｂは、記録紙ガイド５７ａに取り付けられており、記録紙ガイド５７ａは、記録紙Ｐの幅に合わせて幅方向に摺動可能に給紙トレイ５７に設けられている。そして、ＰＦモータ５８の回転駆動力が歯車伝達されて回転する給紙ローラ５７ｂの回転駆動力と、分離パッドの摩擦抵抗により、給紙トレイ５７に置かれた記録紙Ｐを給紙する際に、複数の記録紙Ｐが一度に給紙されることなく最上位の記録紙Ｐのみが正確に分離されて一枚ずつ自動給紙されるように構成されている。給紙ローラ５７ｂと搬送駆動ローラ５３との間には、公知の技術による紙検出器３３が配設されている。
【００３４】
一方、記録実行後の記録紙Ｐを排紙する手段として、「排出駆動ローラ」としての排紙駆動ローラ５５と排紙従動ローラ５６とが設けられている。排紙駆動ローラ５５は、ＰＦモータ５８の回転駆動力が歯車伝達されて回転し、排紙駆動ローラ５５の回転により、記録実行後の記録紙Ｐは副走査方向Ｙに排紙される。排紙従動ローラ５６は、周囲に複数の歯を有し、各歯の先端が記録紙Ｐの記録面に点接触するように鋭角的に尖っている歯付きローラになっている。複数の排紙従動ローラ５６は、それぞれ個々に排紙駆動ローラ５５に付勢され、記録紙Ｐが排紙駆動ローラ５５の回転により排紙される際に記録紙Ｐに接して記録紙Ｐの排紙に従動して回転する。そして、給紙ローラ５７ｂや搬送駆動ローラ５３、及び排紙駆動ローラ５５を回転駆動するＰＦモータ５８、並びにキャリッジ６１を主走査方向に駆動するＣＲモータ６３は、「制御装置」としての記録制御部１００により駆動制御される。また、記録ヘッド６２も同様に、記録制御部１００により駆動制御されて記録紙Ｐの表面にインクを噴射する。
【００３５】
「制御装置」としての記録制御部１００は、ＲＯＭ１０１、ＲＡＭ１０２、メモリカードＩＦ１０３、ＭＰＵ１０４、ＤＣユニット１０５、ＰＦモータドライバ１０６、ＣＲモータドライバ１０７、ヘッドドライバ１０８、及び不揮発性メモリ１０９を備えている。ＭＰＵ１０４およびＤＣユニット１０５には、搬送駆動ローラ５３の回転量を検出する「回転量検出手段」としてのロータリエンコーダ３１、キャリッジ６１の移動量を検出する「キャリッジ移動量検出手段」としてのリニアエンコーダ３２、搬送される記録紙Ｐの先端及び後端を検出する紙検出器３３、主走査方向Ｘの記録紙Ｐの端部を検出するためのＰＷセンサ３４、インクジェット式記録装置５０の電源をＯＮ／ＯＦＦするための電源スイッチ３５、「記録実行手段」による記録紙Ｐへの記録を実行するための記録操作スイッチ３６、及びインデックスシートに基づく記録を実行するためのインデックス記録操作スイッチ３７の出力信号が入力される。
【００３６】
公知のロータリエンコーダ３１は、搬送駆動ローラ５３の回転に連動して回転するロータリスケール３１１と、ロータリスケール３１１の外周に沿って等間隔に形成されているスリットを検出するロータリスケールセンサ３１２とを有している。搬送駆動ローラ５３の回転に伴い変化するロータリスケールセンサ３１２の出力信号がＭＰＵ１０４並びにＤＣユニット１０５へ出力される。また、公知のリニアエンコーダ３２は、キャリッジ６１の近傍に主走査方向Ｘと略平行に配置されたリニアスケール３２１と、キャリッジ６１に搭載されたリニアスケール３２１に等間隔に形成されているスリットを検出するリニアスケールセンサ３２２とを有している。キャリッジ６１の主走査方向Ｘの移動に伴い変化するリニアスケールセンサ３２２の出力信号がＭＰＵ１０４並びにＤＣユニット１０５へ出力される。
【００３７】
公知の紙検出器３３は、立位姿勢への自己復帰習性が付与され、かつ記録紙搬送方向にのみ回動し得るよう記録紙Ｐの搬送経路内に突出する状態で枢支されたレバーを有し、このレバーの先端が記録紙Ｐに押されることでレバーが回動し、それによって記録紙Ｐが検出される構成を成す検出器である。紙検出器３３は、給紙ローラ５７ｂより給紙された記録紙Ｐの始端位置、及び終端位置を検出し、その検出信号がＭＰＵ１０４へ出力される。ＰＷセンサ３４は、非接触の光学式センサで構成されており、記録紙Ｐの主走査方向Ｘの端部位置（記録紙Ｐの側端位置）を検出し、その検出信号がＭＰＵ１０４へ出力される。紙検出器３３及びＰＷセンサ３４の出力信号に基づいて記録紙Ｐの搬送位置や記録紙Ｐのサイズ等がＭＰＵ１０４において演算される。
【００３８】
ＭＰＵ１０４は、インクジェット式記録装置５０の制御プログラムを実行する為の演算処理やその他必要な演算処理を行う。ＲＯＭ１０１には、インクジェット式記録装置５０を制御する為に必要な制御プログラム（ファームウェア）等が格納されており、制御プログラムの処理に必要な各種設定データ等は不揮発性メモリ１０９に記憶されている。ＲＡＭ１０２は、ＭＰＵ１０４の作業領域や各種データの一次格納領域として用いられる。メモリカードＩＦ１０３には、外部から画像データを入力可能な「画像データ入力手段」として、メモリカード等の外部記憶媒体に格納されている画像データを読み込み可能な「画像データ読込手段」としてのメモリカードスロット２００が接続されている。メモリカードスロット２００に挿入されたメモリカードに格納されている画像データは、メモリカードＩＦ１０３を介して記録制御部１００へ入力される。尚、外部から画像データを入力可能な「画像データ入力手段」は、メモリカードスロット２００に特に限定されるものではなく、例えば、インクジェット式記録装置５０にＵＳＢインタフェース装置を設け、ＵＳＢインタフェースでダイレクト接続されたデジタルカメラ等のデジタル画像機器の内部メモリから画像データを読み込むように構成しても良い。或いは、インクジェット式記録装置５０にネットワーク通信装置等を設け、無線ＬＡＮやインターネットを介して接続可能な状態にある任意の外部装置内の記憶媒体から画像データを入力するように構成しても良い。
【００３９】
ＤＣユニット１０５は、ＤＣモータであるＰＦモータ５８及びＣＲモータ６３の速度制御を行う為の制御回路である。ＤＣユニット１０５は、ＭＰＵ１０４から送られてくる制御命令、ロータリエンコーダ３１の出力信号、及びリニアエンコーダ３２の出力信号に基づいて、ＰＦモータ５８及びＣＲモータ６３の速度制御を行う為の各種演算を行い、その演算結果に基づくモータ制御信号をＰＦモータドライバ１０６及びＣＲモータドライバ１０７へ送出する。ＰＦモータドライバ１０６は、ＤＣユニット１０５からのモータ制御信号に基づいてＰＦモータ５８を駆動制御する。また、ヘッドドライバ１０８は、ＭＰＵ１０４からのヘッド制御信号に基づいて記録ヘッド６２を駆動制御する。
【００４０】
つづいて、インクジェット式記録装置５０の各種設定状態を変更するための「設定シート」としての「状態設定シート」と「メンテナンス設定シート」について説明する。
【００４１】
図４は、状態設定シートの一例を示した状態設定シートの平面図である。図５は、メンテナンス設定シートの一例を示したメンテナンス設定シートの平面図である。  
状態設定シートＣＳは、図示の如く、印刷枚数、レイアウト等の記録紙Ｐへの記録を実行する際の各種設定を所定の様式で配置されている各マーキング欄ＭＡのマーキングによって選択指定するものである。状態設定シートＣＳは、インクジェット式記録装置５０によって白紙の記録紙Ｐにこれらを作成する記録を実行することで作成することが可能になっている。作成した状態設定シートＣＳに対して、ユーザがマーキングをして使用する。或いは、標準的な設定のマーキングがあらかじめ施されている既成の状態設定シートＣＳを利用することも可能である。
【００４２】
インクジェット式記録装置５０は、マーキング状態を読み取るための「設定シート走査手段」を備えている。当該実施例におけるインクジェット式記録装置５０の「設定シート走査手段」は、前述した「記録実行手段」を構成する「主走査駆動手段」、「副走査駆動手段」、及びＰＷセンサ３４で構成されており、スキャナ等の専用の走査手段は設けられていない。記録制御部１００は、記録紙Ｐに記録を実行する場合と全く同様に、状態設定シートＣＳを給紙トレイ５７から図示の給紙方向でＡＳＦによって自動給紙し、搬送駆動ローラ５３の回転によってプラテン５２上を搬送される状態設定シートＣＳのマーキング面をＰＷセンサ３４で走査して各マーキング欄ＭＡのマーキング状態を検出する。
【００４３】
より具体的には、記録制御部１００は、自動給紙した状態設定シートＣＳのマーキング欄ＭＡがキャリッジ６２の往復動によるＰＷセンサ３４の走査線上に位置する如く状態設定シートＣＳを「副走査駆動手段」（搬送駆動ローラ５３及び搬送従動ローラ５４）により副走査方向Ｙへ搬送した後、キャリッジ６２を主走査方向Ｘへ往復動させる。全てのマーキング欄ＭＡの走査が終了するまでこの動作を繰り返し実行して、各マーキング欄ＭＡのマーキング状態を検出する。つまり、「記録実行手段」により記録紙Ｐへの記録が実行される際の記録紙Ｐの搬送経路と同じ搬送経路で状態設定シートＣＳを搬送しながらマーキング面を走査してマーキング状態を読み取る。それによって、状態設定シートＣＳ或いは後述するメンテナンス設定シートＭＳのマーキング状態の読み取りを、記録紙Ｐへ記録を実行するのと同様にＡＳＦで自動給紙して実行することができる。また、状態設定シートＣＳ或いは後述するメンテナンス設定シートＭＳのマーキング面を走査しつつ、その状態設定シートＣＳ或いはメンテナンス設定シートＭＳに記録を実行することが可能になる。
【００４４】
状態設定シートＣＳには、ＡＳＦにより自動給紙された記録紙Ｐが白紙の記録紙ではなく状態設定シートＣＳであることを検出するための識別情報が識別情報領域ＣＡに記録されている。具体的には、例えば状態設定シートＣＳの所定の位置に図示の如く３つのマーキング欄で構成された識別情報領域ＣＡを設け、識別情報領域ＣＡのマーキング状態を上記「設定シート走査手段」で最初に走査することによって、自動給紙された記録紙Ｐが白紙の記録紙Ｐであるか状態設定シートＣＳであるかを識別することができる。  
また、状態設定シートＣＳには、ＡＳＦにより自動給紙された設定シートの付加情報が付加情報領域ＮＡに記録されている。例えば、上記識別情報領域ＣＡと同様に３つのマーキング欄で構成し、その３つのマーキング欄の組み合わせで自動給紙された設定シートが状態設定シートＣＳであるか後述するメンテナンス設定シートＭＡであるかを識別するようにしても良く、或いは、状態設定シートＣＳが複数枚に及ぶような場合には、その状態設定シートＣＳのページ番号を識別するようにしても良い。
【００４５】
メンテナンス設定シートＭＳは、記録ヘッド６２のヘッドクリーニングや記録ヘッド６２のヘッド面に多数設けられたインクが噴射される各ノズルのノズル詰まりをチェックするノズルチェック等のメンテナンス動作を所定の様式で配置されている各マーキング欄ＭＡのマーキングによって選択指定するものである。設定する対象及びマーキング欄ＭＡの配置が異なる以外は、状態設定シートＣＳと同様なので説明は省略する。
【００４６】
つづいて、記録操作スイッチ３６を操作したときの記録制御部１００の制御手順について図６〜図９を参照しながら説明する。
【００４７】
図６は、記録操作スイッチ３６を操作したときの記録制御部１００の制御手順を示したフローチャートである。  
記録制御部１００は、記録操作スイッチ３６が操作されると、まず、メモリカードスロット２００にメモリカードが挿入されているか否かを判定する（ステップＳ１）。メモリカードスロット２００にメモリカードが挿入されている場合には（ステップＳ１でＹｅｓ）、つづいて、メモリカード内に格納されている画像データがあるか否かを判定する（ステップＳ２）。メモリカード内に格納されている画像データがある場合には（ステップＳ２でＹｅｓ）、ＡＳＦによる記録紙Ｐの自動給紙を実行し（ステップＳ３）、自動給紙された記録紙Ｐが設定シート（状態設定シートＣＳ又はメンテナンス設定シートＭＳ）であるか否かを判定する（ステップＳ４）。具体的には、自動給紙された記録紙Ｐの識別情報領域ＣＡをＰＷセンサ３４で走査して、自動給紙された記録紙Ｐが白紙の記録紙Ｐであるか設定シート（状態設定シートＣＳ又はメンテナンス設定シートＭＳ）であるかを判定する。
【００４８】
自動給紙された記録紙Ｐが設定シートである場合には（ステップＳ４でＹｅｓ）、「設定シート読み取り動作」を実行して（ステップＳ５）、設定シートを排出し（ステップＳ７）、自動給紙された記録紙Ｐが白紙の記録紙Ｐである場合には（ステップＳ４でＮｏ）、「記録動作」を実行してメモリカード内のあらかじめ指定されている画像データを記録紙Ｐに記録し（ステップＳ６）、記録実行後の記録紙Ｐを排出する（ステップＳ７）。そして、あらかじめ指定されている画像データの記録が全て終了しているか否かを判定し（ステップＳ８）、あらかじめ指定されている画像データの記録が全て終了していない場合には（ステップＳ８でＮｏ）、再び記録紙Ｐの自動給紙を実行し（ステップＳ３）、あらかじめ指定されている画像データの記録が全て終了した時点で（ステップＳ８でＹｅｓ）、当該手順を終了する。
【００４９】
尚、あらかじめ記録を実行する画像データの指定は、メモリカード内の全画像データの一覧を記録したインデックスシートを作成する。インデックスシートの画像一覧から記録を実行する画像を選択して対応するマーキングをした後、そのインデックスシートをＡＳＦで自動給紙し、設定シートと同様にＰＷセンサ３４でマーキング状態を検出して読み取る。マーキングにより選択されている画像データが記録を実行すべき画像データとして指定される。より具体的には、インデックス記録操作スイッチ３７を操作することによって、メモリカード内の全画像データの一覧が所定の様式で記録紙Ｐに記録されてインデックスシートが作成される。マーキング後のインデックスシートを給紙トレイ５７に置き、再度インデックス記録操作スイッチ３７を操作することによって、インデックスシートのマーキング状態の読み取りが行われる。
【００５０】
また、画像データを記録する際の記録紙Ｐのサイズは、ＰＷセンサ３４で設定シートの搬送方向と直交する方向の幅（主走査方向Ｘの幅）を検出し、検出した当該設定シートの幅から当該設定シートのサイズを特定し、特定した当該設定シートのサイズに設定する。つまり、画像データの記録を実行しようとする記録紙Ｐと同じ大きさの記録紙Ｐで設定シートを作成して使用することによって、記録紙Ｐのサイズの設定を間違えにくくすることができる。それによって、設定シートによる各種設定の実行と、その各種設定状態であらかじめ指定した画像データの記録を１回の記録操作スイッチ３６の操作で連続して実行する場合には、給紙トレイ５７に積重した白紙の記録紙Ｐの大きさと、その最上位に配置した設定シートとの大きさとが同じ大きさであることをもって、記録紙Ｐのサイズが正しく設定されて記録が実行されることが保証されることになる。
【００５１】
一方、メモリカードスロット２００にメモリカードが挿入されていない場合（ステップＳ１でＮｏ）、或いは、メモリカード内に画像データがない場合には（ステップＳ２でＮｏ）、つづいて、ＡＳＦによる記録紙Ｐの自動給紙を実行し（ステップＳ９）、自動給紙された記録紙Ｐが設定シート（状態設定シートＣＳ又はメンテナンス設定シートＭＳ）であるか否かを判定する（ステップＳ１０）。自動給紙された記録紙Ｐが設定シートである場合には（ステップＳ１０でＹｅｓ）、「設定シート読み取り動作」を実行して（ステップＳ１１）、設定シートを排出し（ステップＳ１３）、自動給紙された記録紙Ｐが白紙の記録紙Ｐである場合には（ステップＳ１０でＮｏ）、ＲＯＭ１０１或いは不揮発性メモリ１０９にあらかじめ記憶されている設定シートの記録データに基づいて記録を実行する「設定シート記録動作」を実行して、設定シートを作成し（ステップＳ１２）、作成した設定シートを排出する（ステップＳ１３）。  
そして、メンテナンス設定シートＭＳによるメンテナンス動作が指定されているか否かを判定する（ステップＳ１４）。メンテナンス動作が指定されていない場合には（ステップＳ１４でＮｏ）、そのまま当該手順を終了し、メンテナンス動作が指定されている場合には（ステップＳ１４でＹｅｓ）、ステップＳ３に移行する。
【００５２】
このように、記録すべき任意の画像データがあらかじめ指定されていない状態で記録操作スイッチ３６を操作した場合には、自動給紙された白紙の記録紙Ｐへ設定シートを作成する記録を実行して排出する。つまり、ユーザがインクジェット式記録装置５０の各種設定を変更する際に手元に設定シートが無い場合には、記録を実行する画像データをあらかじめ指定しない状態で記録操作スイッチ３６を操作することによって、設定シートを作成することができる。また、その際にＰＷセンサ３４で自動給紙された記録紙Ｐの搬送方向と直交する方向の幅（主走査方向Ｘの幅）を検出し、検出した記録紙Ｐの幅から当該記録紙Ｐのサイズを特定し、そのサイズに応じた記録を実行して設定シートを作成する。それによって、記録操作スイッチ３６の１回の操作のみで、ユーザが望むサイズの設定シートを容易に作成することができる。
【００５３】
つづいて、上述した「設定シート読み取り動作」（ステップＳ５及びステップＳ１１）、「記録動作」（ステップＳ６）、並びに「設定シート記録動作」（ステップＳ１２）の手順について説明する。
【００５４】
図７は、「記録動作」（図６のステップＳ６）の制御手順を示したフローチャートである。  
まず、メンテナンス設定シートＭＳによるメンテナンス動作が指定されているか否かを判定する（ステップＳ２１）。メンテナンス動作が指定されている場合には、指定されているメンテナンス動作の設定をし（ステップＳ２２）、そのメンテナンス動作に基づく記録データ（双方向印刷調整パターン、ノズルチェックパターン等）を所定のデータ単位で生成し、生成した記録データの記録を実行する（ステップＳ２５）。メンテナンス動作に基づく記録データを記録した記録紙Ｐには、その記録実行結果に基づいてユーザが最適な調整値を選択してマーキング指定することができるようになっている。
【００５５】
そして、マーキング後のその記録紙Ｐを給紙トレイ５７に置いた状態で、記録操作スイッチ３６が操作されると、マーキング後のその記録紙Ｐは、ＡＳＦで自動給紙され、設定シートとして（設定シートＣＳとは異なる種類の設定シートとして）ＰＷセンサ３４でマーキング状態の読み取りが行われ、読み取ったマーキング状態に対応する調整値の設定が実行されることになる。尚、当該設定シートは、１回限りの使用が前提となるので、マーキング状態の読み取り後、当該設定シートを排出する前に当該設定シートを無効とするような記録を当該設定シートに実行して、以後は設定シートとして読み取ることが出来ないようにしてから排出するようにすると良い。
【００５６】
一方、メンテナンス動作が指定されていない場合には、あらかじめ指定されている画像データをメモリカードから読み込んで（ステップＳ２３）、読み込んだ画像データを所定のデータ単位で記録実行用のデータに２値化（変換）し（ステップＳ２４）、２値化した画像データの記録を実行する（ステップＳ２５）。記録動作（ステップＳ２５）後、当該記録紙Ｐへの記録が全て終了したか否かを判定し（ステップＳ２６）、全て終了していない場合には、記録動作（ステップＳ２５）を繰り返し実行し、全ての記録が終了した時点で当該手順を終了する。
【００５７】
図８は、「設定シート読み取り動作」（図６のステップＳ５及びステップＳ１１）の制御手順を示したフローチャートである。  
まず、設定シートを読み取る（ステップＳ３１）。具体的には、設定シートの付加情報領域ＮＡをＰＷセンサ３４で走査する。つづいて、付加情報領域ＮＡの読み取り結果から当該設定シートが状態設定シートＣＳであるか否かを判定する（ステップＳ３２）。当該設定シートが状態設定シートＣＳである場合には（ステップＳ３２でＹｅｓ）、状態設定シートＣＳの様式に従って各マーキング欄ＭＡを走査し、読み取ったマーキング状態に基づいて、不揮発性メモリ１０９に記憶されているインクジェット式記録装置５０の各種設定を変更する（ステップＳ３３）。つづいて、全ての状態設定の変更が終了したか否かを判定し（ステップＳ３４）、全ての状態設定の変更が終了していない場合には（ステップＳ３４でＮｏ）、ステップＳ３１に戻って残りのマーキング状態の読み取りを実行し、全ての状態設定の変更が終了した時点で（ステップＳ３４でＹｅｓ）、当該手順を終了する。一方、当該設定シートが状態設定シートＣＳでない場合には（ステップＳ３２でＹｅｓ）、当該設定シートがメンテナンス設定シートＭＳであると判定し、メンテナンス設定シートＭＳの様式に従って各マーキング欄ＭＡを走査し、読み取ったマーキング状態にて指定されているメンテナンス動作を指定して（ステップＳ３５）、当該手順を終了する。
【００５８】
尚、当該実施例におけるメンテナンス設定シートＭＳは、図５に示した如く選択肢が二択なので、「する」側、或いは「しない」側のマーキング欄ＭＡを副走査方向Ｙ（給紙方向）へ１回走査するだけで、メンテナンス設定シートＭＳのマーキング状態を全て読み取ることが可能である。また、選択されたメンテナンス動作に基づく記録データの記録は、当該メンテナンス設定シートＭＳの空き領域に実行するようにしても良い。ただし、その場合は、当該メンテナンス設定シートＭＳは、繰り返し使用することができなくなってしまう。そこで、メンテナンス動作に伴う記録実行結果に基づく調整値の設定を行った時点で、調整値の設定後のメンテナンス設定シートＭＳを無効とする記録を実行して、以後は当該メンテナンス設定シートが使用できないようにすると、不正確な調整値が誤って設定されてしまうことを防止することができる。
【００５９】
図９は、「設定シート記録動作」（図６のステップＳ１２）の制御手順を示したフローチャートである。  
所定の様式の設定シートを作成するための記録データに基づいて記録紙Ｐへの記録を実行して設定シートを作成する（ステップＳ４１）。設定シートの記録データは、例えば不揮発性メモリ１０９にあらかじめ記憶しておく。
【００６０】
このようにして、記録操作スイッチ３６を１回操作するだけで、インクジェット式記録装置５０の各種設定の変更からあらかじめ指定されているメモリカード内の画像データの記録紙Ｐへの記録までを全て自動で実行することができるので、パーソナルコンピュータ等のホスト装置を接続しないスタンドアロンでのダイレクトプリント機能を有するインクジェット式記録装置５０において、各種設定から記録紙Ｐへの所望の画像データの記録までの一連の操作を単純かつ容易な操作で正確に実行することが可能なユーザにとって使い勝手の良い操作性を実現することができる。
【００６１】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００６２】
【図１】本発明に係るインクジェット式記録装置の概略の平面図である。
【図２】本発明に係るインクジェット式記録装置の概略の側面図である。
【図３】本発明に係るインクジェット式記録装置の概略のブロック図である。
【図４】状態設定シートの平面図である。
【図５】メンテナンス設定シートの平面図である。
【図６】記録操作スイッチ操作時の制御手順を示したフローチャートである。
【図７】「記録動作」の制御手順を示したフローチャートである。
【図８】「設定シート読み取り動作」の制御手順を示したフローチャートである。
【図９】「設定シート記録動作」の制御手順を示したフローチャートである。
【符号の説明】
【００６３】
３４  ＰＷセンサ、３６  記録操作スイッチ、３７  インデックス記録操作スイッチ、５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、５７  給紙トレイ、５７ｂ  給紙ローラ、５８  ＰＦモータ、６１  キャリッジ、６２  記録ヘッド、６３  ＣＲモータ、１００  記録制御部、１０１  ＲＯＭ、１０２  ＲＡＭ、１０３  メモリカードＩＦ、１０４  ＭＰＵ、１０５  ＤＣユニット、１０６  ＰＦモータドライバ、１０７  ＣＲモータドライバ、１０８  ヘッドドライバ、１０９  不揮発性メモリ、２００  メモリカードスロット、ＣＳ  状態設定シート、ＭＳ  メンテナンス設定シート、Ｐ  記録紙、Ｘ  主走査方向、Ｙ  副走査方向
【図１】
2006056130.tif 000003
【図２】
2006056130.tif 000004
【図３】
2006056130.tif 000005
【図４】
2006056130.tif 000006
【図５】
2006056130.tif 000007
【図６】
2006056130.tif 000008
【図７】
2006056130.tif 000009
【図８】
2006056130.tif 000010
【図９】
2006056130.tif 000011